【手続補正書】
【提出日】平成28年7月14日(2016.7.14)
【手続補正１】
【補正対象書類名】特許請求の範囲
【補正対象項目名】全文
【補正方法】変更
【補正の内容】
【特許請求の範囲】
【請求項１】
負荷に電力を供給する中性点クランプインバータと、
前記負荷への電力が実質的に平衡している場合、３−レベルモードまたはそれより高いレベルモードで動作し、また、前記負荷への電力が実質的に不平衡である場合、２−レベルモードで動作するように前記インバータを制御するコントローラと
を備え、
前記コントローラが、少なくとも部分的に前記コンデンサの電圧差の差に基づいて、前記負荷が実質的に平衡していること、および実質的に不平衡であることを決定するように構成され、
前記コントローラが、前記コンデンサの前記電圧差の前記差が第１の閾値より大きい場合、正規の３−レベルモードで動作し、また、前記コンデンサの前記電圧差の前記差が前記第１の閾値より大きく、かつ、第２の閾値以下である場合、修正３−レベルモードで動作するように前記インバータを制御するように構成される無停電電源装置（ＵＰＳ）システム。
【請求項２】
負荷に電力を供給する中性点クランプインバータと、
前記負荷への電力が実質的に平衡している場合、３−レベルモードまたはそれより高いレベルモードで動作し、また、前記負荷への電力が実質的に不平衡である場合、２−レベルモードで動作するように前記インバータを制御するコントローラと
を備え、
前記インバータが、中性点の反対側に配置された少なくとも２つのコンデンサを備え、前記コントローラが、少なくとも部分的に前記コンデンサの電圧差の差に基づいて、前記負荷が実質的に平衡していること、および実質的に不平衡であることを決定するように構成され、
前記コントローラが、前記コンデンサの前記電圧差の前記差が第１の閾値より大きい場合、正規の３−レベルモードで動作し、また、前記コンデンサの前記電圧差の前記差が前記第１の閾値より大きく、かつ、第２の閾値以下である場合、修正３−レベルモードで動作するように前記インバータを制御するように構成される無停電電源装置（ＵＰＳ）システム。
【請求項３】
前記インバータが、三線構成または、四線構成を介して前記負荷に接続するように構成される、請求項１または２に記載のシステム。
【請求項４】
前記インバータが４つの脚を備え、そのうちの第１、第２および第３の脚が前記負荷に電力を提供し、前記負荷が実質的に不平衡である場合、第４の脚が前記負荷からの中性電流を調整する、請求項３記載のシステム。
【請求項５】
前記コントローラが、前記インバータ内の中性点の反対側に配置されたコンデンサの電圧差の差を小さくするように前記第４の脚を制御するように構成される、請求項４記載のシステム。
【請求項６】
前記インバータが、逆阻止ＩＧＢＴまたは静止スイッチモジュール、あるいはそれらの両方を、前記第４の脚と、前記第１、第２および第３の脚に結合された中性点との間に備え、前記コントローラが、前記負荷が実質的に平衡している場合、前記逆阻止ＩＧＢＴまたは前記静止スイッチモジュール、あるいはそれらの両方を開くように制御し、また、前記負荷が実質的に不平衡である場合、それらを閉じるように制御するように構成される、請求項４記載のシステム。
【請求項７】
前記インバータが、それぞれ４つのスイッチを個々に備えた３つの脚を備え、前記コントローラが、前記インバータが前記３−レベルモードで動作している間、個々の脚の前記４つのスイッチを様々にスイッチオンまたはスイッチオフし、また、前記インバータが前記２−レベルモードで動作している間、個々の脚の前記４つのスイッチのうちの２つのみを様々にスイッチオンおよびスイッチオフし、かつ、個々の脚の前記４つのスイッチのうちの残りの２つをオン状態に維持するように構成される、請求項１乃至６のいずれかに記載のシステム。
【請求項８】
前記コントローラが、前記コンデンサの前記電圧差の前記差が何らかの閾値より大きく、かつ、その以外の点では前記負荷が実質的に平衡状態を維持している場合、修正３−レベルモードで動作するように前記インバータを制御するように構成され、前記インバータが、前記コンデンサの前記電圧差の前記差が小さくなるように前記コンデンサを充電し、あるいは放電させる冗長空間ベクトルパルス幅変調状態を選択することにより、前記修正３−レベルモードで動作するように前記インバータを制御するように構成される、請求項１乃至７のいずれかに記載のシステム。
【請求項９】
前記コントローラが、前記インバータ内の中性点の反対側に配置されたコンデンサの電圧差の差を、前記コンデンサの前記電圧差の前記差が小さくなるように前記コンデンサを充電し、あるいは放電させる冗長空間ベクトルパルス幅変調状態を選択することによって小さくすることができない場合、前記負荷が実質的に不平衡であることを決定するように構成される、請求項１乃至８のいずれかに記載のシステム。
【請求項１０】
前記コントローラが、空間ベクトルパルス幅変調六角形の外側の角点として画定された状態のみを使用した空間ベクトルパルス幅変調に従って前記インバータを前記２−レベルモードで動作させるように構成される、請求項１乃至９のいずれかに記載のシステム。
【請求項１１】
少なくとも集合的に機械実行可能命令を備えた１つまたは複数の有形機械可読媒体
を備えた製造物品であって、前記命令が、
中性点クランプインバータ内の第１のコンデンサに関連する第１の電圧差の値を受け取る命令と、
前記中性点クランプインバータ内の第２のコンデンサに関連する第２の電圧差の値を受け取る命令と、
前記第１の電圧差と前記第２の電圧差の差の値を決定する命令と、
前記第１の電圧差と前記第２の電圧差の前記差が第１の閾値以下であるが第２の閾値より大きい場合、３−レベルモードまたはそれより高いレベルモードに従って前記中性点クランプインバータを動作させることを決定する命令と、
前記第１の電圧差と前記第２の電圧差の前記差が前記第１の閾値より大きい場合、２−レベルモードに従って前記中性点クランプインバータを動作させることを決定する命令と
を含む製造物品。
【請求項１２】
前記命令が、
ＤＣオフセット値を得るために前記第１の電圧差と前記第２の電圧差の前記差をＰＩコントローラを通過させる命令と、
前記ＤＣオフセット値を小さくするために前記３−レベルモードを修正する命令と
を含む、請求項１１記載の製造物品。
【請求項１３】
前記３−レベルモードを修正する前記命令が、前記ＤＣオフセット値を小さくするために、複数の冗長空間ベクトルパルス幅変調状態の中から選択する命令を含む、請求項１１または１２に記載の製造物品。
【請求項１４】
前記３−レベルモードを修正する前記命令が、前記ＤＣオフセット値を小さくするために、空間ベクトルパルス幅変調状態ＰＯＯとＯＮＮ、ＰＰＯとＯＯＮ、ＯＯＰとＮＮＯ、ＰＯＰとＯＮＯ、ＯＰＯとＮＯＮ、およびＯＰＰとＮＯＯの間を選択する命令を含む、請求項１１乃至１３のいずれかに記載の製造物品。
【請求項１５】
前記命令が、前記第１の電圧差と前記第２の電圧差の前記差が前記閾値より大きくなると、中性電流を調整し、かつ、前記中性点クランプインバータに電力を供給する直流（ＤＣ）バスの利用を多くするために、前記中性点クランプインバータの第４の脚を動作させることを決定する命令を含む、請求項１１乃至１４のいずれかに記載の製造物品。
【請求項１６】
前記命令が、前記第１の電圧差と前記第２の電圧差の前記差が前記閾値以下である場合、逆阻止ＩＧＢＴまたは静止スイッチモジュール、あるいはそれらの両方を開き、また、前記第１の電圧差と前記第２の電圧差の前記差が前記閾値より大きい場合、それらを閉じるように制御する命令を含み、前記逆阻止ＩＧＢＴまたは静止スイッチモジュール、あるいはそれらの両方が、前記中性点クランプインバータの第４の脚と、第１、第２および第３の脚に結合された中性点との間に配置される、請求項１１乃至１５のいずれかに記載の製造物品。